(57)【要約】【課題】  商品の陳列ディスプレイや間仕切等、大小を問わずに複数の導光面によって照明できるようする。【解決手段】  交差一方の導光面１ａの中央位置配置した断面Ｕ字状の受条３に交差他方の導光面１ｂを交差保持し、受条３底壁及び外側面のＬＥＤ光源８によって交差一方及び他方の導光面１ａ、１ｂの面照明を行うようにする。各導光面は光拡散性の乳白色の表面カバー４１や被覆ケース５で覆うことにより、フレームレスにしてＴ字状を呈する面照明装置Ａとすることができる。ＬＥＤ光源８の発熱を交差一方の導光面１ａの放熱板に伝導することによって、導光面１ａ、１ｂを雰囲気温度に維持できる。【選択図】  図２
2012248518.tif 000002
【特許請求の範囲】
【請求項１】
交差一方の導光面とこれに交差配置した交差他方の導光面によって面照明を行うようにした面照明装置であって、上記交差一方の導光面の端部又は中間位置に埋込配置することによって交差他方の導光面を交差保持する断面Ｕ字状の受条と、該受条の片側又は両側の外側壁及び底壁にそれぞれ交差一方の導光面と交差他方の導光面に対して入射光を供給する交差複数方向に向けた線状光源を備えてなることを特徴とする導光面交差配置の面照明装置。
【請求項２】
上記断面Ｕ字状の受条の埋込配置を、交差一方の導光面の端部と中間位置の双方とし且つ交差一方の導光面に対して入射光を供給する線状光源を該端部又は中間位置の一方としてなることを特徴とする請求項１に記載の導光面交差配置の面照明装置。
【請求項３】
上記交差他方の導光面の該交差一方の導光面に対する交差保持を直交して行うことにより、交差一方の導光面に対する該交差他方の導光面の配置を断面Ｔ字状又はＬ字状としてなることを特徴とする請求項１又は２に記載の導光面交差配置の面照明装置。
【請求項４】
上記交差一方の導光面を、導光板と、該導光板をその外周端部を含めて収容するボックスと、上記断面Ｕ字条の受条を除く導光板の表面を被覆するように該ボックスの開口面を塞ぐ光拡散性の表面カバーを備えて形成し、上記交差他方の導光面を、同じく導光板と、該導光板の交差保持側の端部を露出した挿入端部を除いて該導光板の表裏及び３端面をボックス状に被覆する光拡散性の被覆ケースを備えて形成し、該交差他方の導光面における導光板の挿入端部を上記交差一方の導光面の断面Ｕ字状の受条に挿入し且つその挿入端部外周を画する被覆ケースの４端面の一部又は全部を上記交差一方の導光面の表面カバーに対接配置してなることを特徴とする請求項１、２又は３に記載の導光面交差配置の面照明装置。
【請求項５】
上記交差一方の導光面の表面カバー及び交差他方の導光面の被覆ケースを乳白色の色調を呈する光透過性合成樹脂材によって形成してなることを特徴とする請求項４に記載の導光面交差配置の面照明装置。
【請求項６】
上記表面カバーにおける基準面導光面の線状光源配置位置と導光板の端部位置間に至るようにボックス内に挿入するＬ字状乃至厚肉の異常輝度防止用の脚部を配置してなることを特徴とする請求項４又は５に記載の導光面交差配置の面照明装置。
【請求項７】
上記交差一方の導光面の導光板とボックスの底壁間に放熱板を配置するとともに該放熱板の断面Ｕ字状の受条側に起立端部を配置し、上記受条の外側壁の線状光源を、該起立端部を介して設置してなることを特徴とする請求項４、５又は６に記載の導光面交差配置の面照明装置。
【請求項８】
上記線状光源を、ＬＥＤバーによるＬＥＤ光源としてなることを特徴とする請求項１、２、３、４、５、６又は７に記載の導光面交差配置の面照明装置。
【発明の詳細な説明】
【技術分野】
【０００１】
本発明は、例えば商品の陳列棚、陳列用のディスプレイ、間仕切等の大小各種の用途に使用可能な導光板交差配置の面照明装置に関する。
【背景技術】
【０００２】
例えば商品の陳列棚を照明するものとして、下記特許文献１は、天井に設置したＬＥＤの線状光源を３列配置として、中央の１列の線状光源を床面照明用、端部２列の線状光源を、該床面を挟んで対向配置した一対の陳列棚照明用とするものとされている。棚によって該棚下に設置したテーブルを照明するものとして、下記特許文献２は、支柱に支持した左右のブラケットに棚板を載置するとともに左右のブラケット間で棚板下面側に断面三角形状の照明空間を配置し、該照明空間内の奥位置に線状光源を設置し、該照明空間を傾斜した光拡散板で被覆し、棚板の下位に配置したテーブルを照明するものとされている。また、例えば、間仕切に照明を付したものとして、下記特許文献３は、間仕切の上枠に上向きＬＥＤの線状光源を配置する一方、この線状光源の上位に、これに離隔して下向きの断面三角形状をなす反射枠を配置し、線状光源の光源光を間仕切表裏の下方に向けて反射してその近傍を照明するようにしたものとされる。
【０００３】
一方、この種の面照明装置、例えば液晶バックライトは、本発明者の提案に係る下記特許文献４に示すように、導光板と、その入射端面の線状光源と、導光板表面の光拡散シートと、導光板裏面の反射シートを備えて形成することが知られている。
【先行技術文献】
【特許文献】
【０００４】
【特許文献１】特開２０１０−２１８９２２号公報
【特許文献２】特開２００８−９１１８５号公報
【特許文献３】特開２０１０−１８９８３６号公報
【特許文献４】特開平０８−２５４６１８号公報
【発明の概要】
【発明が解決しようとする課題】
【０００５】
上記特許文献１乃至３によれば、線状光源によって陳列棚下位のテーブルや間仕切周辺を照明することができるが、例えば面照明装置によって上記陳列棚や間仕切を形成したり、既存の陳列棚やショーケースに据え置いて使用する陳列用のディスプレイを形成したりすれば、陳列棚や陳列ディスプレイにあっては、商品を直接に面照明することができ、顧客の購買意欲を増進することが可能となるものと見込まれ、また、間仕切の場合には、該間仕切の仕切面を直接に照明することができ、快適な打合せ空間を確保することが可能となるものと見込まれる。
【０００６】
しかし、これら陳列棚、陳列ディスプレイ、間仕切を初めとして、各種の面照明装置を有効に活用するためには、単一の面を照明するに止まらず、導光面を交差配置することによって、同時に複数の面照明をなし得るものとすれば、上記陳列棚や陳列ディスプレイの場合には、例えば宝飾、高級雑貨、高級衣料等の各種商品に対する顧客の購買意欲を更に増進することができる上、陳列棚や陳列ディスプレイが光輝することによって顧客の注目を浴びる結果、更に集客力を発揮することもできるものと期待され、また、間仕切の場合には、光輝した間仕切に囲まれた打合せをなし得るという好ましい環境を確保することができ、従来に見られない使い勝手の良好なものとすることができるものと期待され、従って、導光面を交差配置して、上記以外にも建物の内装、家具等、大小を問わずに各種商品に適用すれば、その商品価値を向上することができる。
【０００７】
複数の導光面による照明を行うには、例えば、それぞれ独立に構成した導光面を、ヒンジ等の固定手段によって所定角度に固定すれば可能となるが、この場合、一般には、各導光面にこれを囲繞する如くに外枠を配置し、該外枠を介して固定する必要が生じるから、該外枠が導光面を画するように照明面の表面に現れて煩雑感を与えるものとなり易く、また、固定に用いた固定手段が導光面の間、特にそのコーナーに露出することによって外観を損なうことになり易く、従って、外観を良好に確保しつつ複数の導光面を交差配置することは必ずしも容易ではない。
【０００８】
本発明はかかる事情に鑑みてなされたもので、その解決課題とするところは、複数の導光面を交差配置して同時の面照明をなし得るとともに導光面の交差配置を可及的良好な外観とすることが可能な導光面交差配置の面照明装置を提供するにある。
【課題を解決するための手段】
【０００９】
上記課題に沿って本発明は、複数の導光面をベースと、その中板乃至端板をなす導光面とするごとくにベースに該当する交差一方の導光面と中板乃至端板をなす交差他方の導光面とし、交差一方の導光面の交差他方の導光面交差位置に断面Ｕ字状の受条を埋込配置し、該受条によって交差他方の導光面を交差保持し且つ該受条の外側壁の片側又は両側の線状光源によって交差一方の導光面を、受条の底壁の線状光源によって交差他方の導光面をそれぞれ照明するようにして、交差一方の導光面と交差他方の導光面の直付を行うようにしたものであって、即ち、請求項１に記載の発明を、交差一方の導光面とこれに交差配置した交差他方の導光面によって面照明を行うようにした面照明装置であって、上記交差一方の導光面の端部又は中間位置に埋込配置することによって交差他方の導光面を交差保持する断面Ｕ字状の受条と、該受条の片側又は両側の外側壁及び底壁にそれぞれ交差一方の導光面と交差他方の導光面に対して入射光を供給する交差複数方向に向けた線状光源を備えてなることを特徴とする導光面交差配置の面照明装置としたものである。
【００１０】
請求項２に記載の発明は、上記に加えて、交差一方の導光面と交差他方の導光面の配置形態によって、交差一方の導光面の線状光源配置形態を可変として、該交差一方の導光面の輝度を適正化したものとするように、これを、上記断面Ｕ字状の受条の埋込配置を、交差一方の導光面の端部と中間位置の双方とし且つ交差一方の導光面に対して入射光を供給する線状光源を該端部又は中間位置の一方としてなることを特徴とする請求項１に記載の導光面交差配置の面照明装置としたものである。
【００１１】
請求項３に記載の発明は、同じく上記に加えて、単一又は複数の交差他方の導光面を交差一方の導光面に直交する配置形態として、交差一方の導光面と交差他方の導光面の全体の配置形態を、例えば、Ｌ字状、Ｔ字状、Ｅ字状、Ｆ字状等適宜の断面形状のものとして、用途に応じて使い勝手を良好としたものとするように、これを、上記交差他方の導光面の該交差一方の導光面に対する交差保持を直交して行うことにより、交差一方の導光面に対する該交差他方の導光面の配置を断面Ｔ字状又はＬ字状としてなることを特徴とする請求項１又は２に記載の導光面交差配置の面照明装置としたものである。
【００１２】
請求項４に記載の発明は、同じく上記に加えて、面照明装置としての完成度を向上し、交差一方の導光面をボックスに収納し、照明面を光拡散性の表面カバーで被覆する一方、交差他方の導光面を同じく光拡散性の被覆ケースで袋状に被覆することによって、交差一方の導光面と交差他方の導光面の納まりと外観を可及的良好なものとするとともに導光面の輝度の均一性を可及的良好に確保したものとするように、これを、上記交差一方の導光面を、導光板と、該導光板をその外周端部を含めて収容するボックスと、上記断面Ｕ字条の受条を除く導光板の表面を被覆するように該ボックスの開口面を塞ぐ光拡散性の表面カバーを備えて形成し、上記交差他方の導光面を、同じく導光板と、該導光板の交差保持側の端部を露出した挿入端部を除いて該導光板の表裏及び３端面をボックス状に被覆する光拡散性の被覆ケースを備えて形成し、該交差他方の導光面における導光板の挿入端部を上記交差一方の導光面の断面Ｕ字状の受条に挿入し且つその挿入端部外周を画する被覆ケースの４端面の一部又は全部を上記交差一方の導光面の表面カバーに対接配置してなることを特徴とする請求項１、２又は３に記載の導光面交差配置の面照明装置としたものである。
【００１３】
請求項５に記載の発明は、同じく上記に加えて、上記交差一方の導光面の表面カバー及び交差他方の導光面の被覆ケースの色調を、輝度を確保した面照明とするに適するとともに上記陳列棚、間仕切等の各種用途に汎用的に使用可能なものとするように、これを、上記交差一方の導光面の表面カバー及び交差他方の導光面の被覆ケースを乳白色の色調を呈する光透過性合成樹脂材によって形成してなることを特徴とする請求項４に記載の導光面交差配置の面照明装置としたものである。
【００１４】
請求項６に記載の発明は、同じく上記に加えて、表面カバーの下位に、交差一方の導光面の線状光源が位置することによって、上記受条近傍の輝度が部分的にアップして異常輝度による不均一性が生じるのを、可及的簡易にして確実に防止し、該受条近傍の透過を防止乃至低下調整して、表面カバーにおける均一性を確保したものとするように、これを、上記表面カバーにおける基準面導光面の線状光源配置位置と導光板の端部位置間に至るようにボックス内に挿入するＬ字状乃至厚肉の異常輝度防止用の脚部を配置してなることを特徴とする請求項４又は５に記載の導光面交差配置の面照明装置としたものである。
【００１５】
請求項７に記載の発明は、同じく上記に加えて、交差一方の導光面における線状光源の発熱を可及的有効且つ確実に防止し得るものとするように、これを、上記交差一方の導光面の導光板とボックスの底壁間に放熱板を配置するとともに該放熱板の断面Ｕ字状の受条側に起立端部を配置し、上記受条の外側壁の線状光源を、該起立端部を介して設置してなることを特徴とする請求項４、５又は６に記載の導光面交差配置の面照明装置としたものである。
【００１６】
請求項８に記載の発明は、同じく上記に加えて、線状光源を耐久性に富み且つ省電力のものとするように、これを、上記線状光源を、ＬＥＤバーによるＬＥＤ光源としてなることを特徴とする請求項１、２、３、４、５、６又は７に記載の導光面交差配置の面照明装置としたものである。
【００１７】
本発明は、これらをそれぞれ発明の要旨として、上記課題解決の手段としたものである。
【発明の効果】
【００１８】
本発明は以上のとおりに構成したから、請求項１に記載の発明は、複数の導光面をベースと、その中板乃至端板とするごとくにベースに該当する交差一方の導光面と交差他方の導光面とし、交差一方の導光面の交差他方の導光面交差位置に断面Ｕ字状の受条を埋込配置し、該受条によって交差他方の導光面を交差保持し且つ該受条の外側壁の片側又は両側の線状光源によって交差一方の導光面を、受条の底壁の線状光源によって交差他方の導光面をそれぞれ照明するようにして、交差一方の導光面と交差他方の導光面の直付を行うようにすることにより、複数の導光面を交差配置して同時の面照明をなし得るとともに導光面の交差配置を可及的良好な外観とすることが可能な導光面交差配置の面照明装置を提供することができる。
【００１９】
請求項２に記載の発明は、上記に加えて、交差一方の導光面と交差他方の導光面の配置形態によって、交差一方の導光面の線状光源配置形態を可変として、該交差一方の導光面の輝度を適正化したものとすることができる。
【００２０】
請求項３に記載の発明は、同じく上記に加えて、単一又は複数の交差他方の導光面を交差一方の導光面に直交する配置形態として、交差一方の導光面と交差他方の導光面の全体の配置形態を、例えば、Ｌ字状、Ｔ字状、Ｅ字状、Ｆ字状等適宜の断面形状のものとして、用途に応じて使い勝手を良好としたものとすることができる。
【００２１】
請求項４に記載の発明は、同じく上記に加えて、面照明装置としての完成度を向上し、交差一方の導光面をボックスに収納し、照明面を光拡散性の表面カバーで被覆する一方、交差他方の導光面を同じく光拡散性の被覆ケースで袋状に被覆することによって、交差一方の導光面と交差他方の導光面の納まりと外観を可及的良好なものとするとともに導光面の輝度の均一性を可及的良好に確保したものとすることができる。
【００２２】
請求項５に記載の発明は、同じく上記に加えて、上記交差一方の導光面の表面カバー及び交差他方の導光面の被覆ケースの色調を、輝度を確保した面照明とするに適するとともに上記陳列棚、間仕切等の各種用途に汎用的に使用可能なものとすることができる。
【００２３】
請求項６に記載の発明は、同じく上記に加えて、表面カバーの下位に、交差一方の導光面の線状光源が位置することによって、上記受条近傍の輝度が部分的にアップして異常輝度による不均一性が生じるのを、可及的簡易にして確実に防止し、該受条近傍の透過を防止乃至低下調整して、表面カバーにおける均一性を確保したものとすることができる。
【００２４】
請求項７に記載の発明は、同じく上記に加えて、交差一方の導光面における線状光源の発熱を可及的有効且つ確実に防止し得るものとすることができる。
【００２５】
請求項８に記載の発明は、同じく上記に加えて、線状光源を耐久性に富み且つ省電力のものとすることができる。
【図面の簡単な説明】
【００２６】
【図１】面照明装置の斜視図である。
【図２】面照明装置の分解斜視図である。
【図３】面照明装置の交差一方の導光面中間部分の拡大縦断面図である。
【図４】図３の交差他方の導光面を外した状態の拡大縦断面図である。
【図５】面照明装置の他の形状例を示す概念図である。
【発明を実施するための形態】
【００２７】
以下図面の例に従って本発明を更に具体的に説明すれば、Ａは、本例にあって、例えば、陳列棚の区分区画に収容し、ショーケースの内部空間に収容し、また、ショーケースの上面に載置する如くに据え置き配置して所定の商品を照明展示するように用いる陳列ディスプレイとして、交差一方の導光面１ａとこれに交差配置した交差他方の導光面１ｂによって面照明を行うようにした導光面交差配置の面照明装置であって、該面照明装置Ａは、上記交差一方の導光面１ａの端部又は中間位置に埋込配置することによって交差他方の導光面１ｂを交差保持する断面Ｕ字状の受条３と、該受条３の片側又は両側の外側壁、本例にあっては両側の外側壁及び底壁にそれぞれ交差一方の導光面１ａと交差他方の導光面１ｂに対して入射光を供給する交差複数方向に向けた線状光源８を備えたものとしてある。
【００２８】
本例にあって導光面交差配置の面照明装置Ａは、上記交差他方の導光面１ｂの該交差一方の導光面１ａに対する交差保持を直交して行うことにより、交差一方の導光面１ａに対する該交差他方の導光面１ｂの配置を断面Ｔ字状又はＬ字状としたものとしてある。
【００２９】
本例の面照明装置Ａは、例えば高さ３０ｃｍ、長さ６０ｃｍ強の背面照明用の交差一方の導光面１ａと、該交差一方の導光面１ａを長手方向中間位置、特に中央位置に正面側に突出するように交差保持して交差一方の導光面１ａを左右に２区分し、高さ及び突出幅を３０ｃｍとした側面照明用の交差他方の導光面１ｂを備えて装置Ａの全体を断面Ｔ字状に形成し、平面において上向きのＴ字状をなすように据え置き設置して、その使用を行うものとしてあり、本例にあって該交差一方の導光面１ａの厚さは、これを２〜２．５ｃｍ、交差他方の導光面１ｂの厚さは、これを１ｃｍ程度としてある。
【００３０】
このとき、上記交差一方の導光面１ａは、これを、導光板２と、該導光板２をその外周端部を含めて収容するボックス４と、上記断面Ｕ字条の受条３を除く導光板２の表面を被覆するように該ボックス４の開口面を塞ぐ光拡散性の表面カバー４１を備えて形成し、上記交差他方の導光面１ｂを、同じく導光板２と、該導光板２の交差保持側の端部を露出した挿入端部２２を除いて該導光板２の表裏及び３端面をボックス状に被覆する光拡散性の被覆ケース５を備えて形成し、該交差他方の導光面１ｂにおける導光板２の挿入端部２２を上記交差一方の導光面１ａの断面Ｕ字状の受条３に挿入し且つその挿入端部外周を画する被覆ケース５の４端面の一部又は全部を上記交差一方の導光面１ａの表面カバー４１に対接配置したものとしてある。
【００３１】
各導光面の導光板２は、それぞれ高度な光透過率を有するアクリル、ポリカーボネート等の、本例にあって厚肉、例えば０．５ｃｍ程度の透明樹脂板を用い、その裏面に導光パタンを配置したものとしてあり、該導光パタンはその入射端面２１側から対向する反射端面側に向けて密度変調した、ドット、ライン等の成形又はスクリーン印刷、本例にあってはスクリーン印刷を施して形成したパタンによるものとし、入射端面２１に臨設した線状光源８、本例にあってはＬＥＤバーによるＬＥＤ光源から入射した光源光を反射端面側に向けて導光し、上記パタンのドット、ライン等の乱反射光を、導光板２の背面に配置、本例にあっては後述の放熱板６表面に配置した反射面７によって表面側に向けて反射するようにして、導光板２の全面を均一且つ有効に光輝して、各導光面１ａ、１ｂを面照明するものとしてある。
【００３２】
上記交差一方の導光面１ａの表面カバー４１及び交差他方の導光面１ｂの被覆ケース５は、これを乳白色の色調を呈する光透過性合成樹脂材によって形成してあり、本例の面照明装置Ａにあって、上記交差一方の導光面１ａのボックス４も、これら表面カバー４１及び被覆ケース５と同一の合成樹脂材によって形成することにより、ボックス４の背面及び側面も照明面と同様な乳白色の色調を呈するものとしてあり、これによって商品の照明展示用のものとして、当該商品を引き立てて展示するに適したものとしてある。
【００３３】
これら光透過性合成樹脂は、上記と同様にアクリル、ポリカーボネート等の透明合成樹脂を用いて、例えば上記導光板２より薄肉、例えば０．２〜３ｃｍの共通肉厚にして光拡散用の顔料を添加含有して成形した成形板を加工組立して形成したものとしてある。
【００３４】
このとき、上記ボックス４は、上記面照明装置Ａの交差一方の導光面１ａの高さ、長さ及び厚さをなし、交差一方の導光面１ａ側の正面を開口した深底厚肉のものとして構成するとともにその長手方向中央位置に上記断面Ｕ字状の受条３をボックス４内横断状に配置したものとしてある。
【００３５】
断面Ｕ字状の受条３は、熱伝導性の良好な金属製、本例にあってはアルミ製とし、該金属板を断面Ｕ字状に折曲成形して、ボックス底面に、該ボックスを左右に区分してボックス４空間を中央位置で横断し、また、ボックス４の底面から上端に至るボックス４深さに応じた高さを有し、上記交差導光板２の肉厚に応じて該導光板２より僅かに幅広の溝幅を有して、該導光板２の入射端面２１側の挿入端部２２を挿入自在としてあり、このとき、該受条３の底壁には、線状光源８、本例にあっては上記ＬＥＤ光源のＬＥＤバーを、その全長に亘るように配置してある。
【００３６】
また、本例にあって該ボックス４の底面、即ち上記受条３で左右に２区分した各底面には、同じく熱伝導性に優れた金属製、本例にあってはアルミ製の放熱板６をそれぞれ配置してあり、このとき、該放熱板６の表面には、上記導光パタンの面照明を有効に行うように反射率の高い金属又は合成樹脂の反射面７を形成してあり、本例にあって該反射面７は、例えばポリエステル発泡樹脂のシートを全面に配置して、該反射面７を形成してある。
【００３７】
本例にあって放熱板６は、その断面Ｕ字状の受条３側、即ち、ボックス４の長手方向中央位置側の端部を、例えば０．５ｃｍ程度一体に起立して形成した起立端部６１を備えてあり、該起立端部６１の放熱板６面内側に向けて上記線状光源８、本例にあってはＬＥＤ光源のＬＥＤバーを配置し、これによって、上記受条３の外側壁の線状光源８を、該起立端部６１を介して、上記受条３に対して間接的に設置したものとしてある。
【００３８】
このとき該放熱板６の起立端部６１は、これを上記断面Ｕ字状の受条３の両側の外側面に面接し、受条３の線状光源８の発熱を該起立端部６１を介して放熱板６に伝導してその放熱をなし得るようにしてある。
【００３９】
表面カバー４１は、上記のように光拡散性合成樹脂によるものとする一方、その交差一方の導光面１ａの線状光源８、本例にあっては上記ＬＥＤバーの配置位置と導光板２の端部位置間に至るようにボックス４内に挿入する逆Ｌ字状乃至厚肉、本例にあっては逆Ｌ字状の異常輝度防止用の脚部４２を配置したものとしてあり、該脚部４２が上記線状光源８と導光板２上に位置することによって、光透過性合成樹脂の表面カバー４１に線状光源８、即ち、ＬＥＤ光源の光源光が直接に作用して、該表面カバー４１の端部が異常輝度を呈するのを防止し、該端部を表面カバー４１の他の部位と同等な輝度となるようにしてある。
【００４０】
被覆ケース５は、交差他方の導光面１ｂにおける導光板２の入射端面２１側の挿入端部２２を除く表裏及び３端面の合計５面で被覆するように、該挿入端部２２側を開口して、導光板２の面積と肉厚に応じて、該導光板２を受け入れ被覆自在とした薄いボックス状としてあり、このとき本例にあって該挿入端部２２は、上記断面Ｕ字状の受条３の溝深さから線状光源８、本例にあってＬＥＤバーの厚さをマイナスした突出幅をなすようにしてあり、被覆ケース５は、該挿入端部２２の突出幅を残して該導光板２を被覆する収納空間を備えるとともに開口側端部を面一な端面をなすように構成したものとしてある。
【００４１】
導光板２はそれぞれその入射端面２１を断面Ｕ字状の受条３の線状光源８側に向けて、交差一方の導光面１ａにあってはボックス４の放熱板６、本例にあってはこれに配置した反射面７上に、導光パタンを裏面にするように配置し、表面カバー４１を、その上記異常輝度防止用の脚部４２を、ボックス４内の導光板２の入射端面２１側端部に載置して、ボックス４上面にその開口を塞ぐように配置したものとする一方、交差他方の導光面１ｂの導光板２を被覆ケース５に収納し、その挿入端部２２を断面Ｕ字状の受条３の溝内に挿入保持して、交差一方の導光面１ａに交差他方の導光面１ｂを交差保持したものとしてある。このとき該交差他方の導光面１ｂの被覆ケース５は、その上記面一の端面の一部又は全部が、交差一方の導光面１ａの表面カバー４１端部に載置状に対接する一方、該端部は上記異常輝度防止用の脚部４２を備えることによって、該部位に、交差一方の導光面１ａ及び交差他方の導光面１ｂの各線状光源８の光漏れや異常輝度が発生する可能性を解消してある。
【００４２】
図中８１は線状光源８のリード線である。
【００４３】
以上のように構成した照明装置Ａは、通電によって交差一方の導光面１ａ、交差他方の導光面１ｂの全面を同時に面照明することができ、このとき、ボックス４底面を除く、ボックス４外周の側面、被覆ケース５の外周の端面を含めた面照明を行うことになるとともに全体に亘って照明輝度の均一性を確保し、交差一方の導光面１ａと交差他方の導光面１ｂやこれらの間にこれらを仕切る枠や固定具等が露出することのない外観が良好なフレームレスの全面照明を行うものとすることができる。
【００４４】
また、線状光源８の発熱は放熱板６によって有効に放熱し得るから、交差一方の導光面１ａや交差他方の導光面１ｂが発熱によって温度が上昇することもなく、雰囲気温度と同一乃至略同一の温度を維持することができる。
【００４５】
従って、例えば交差一方の導光面１ａを底面、交差他方の導光面１ｂを起立し、交差一方の導光面１ａを底面や背面、交差他方の導光面１ｂを突出面とする如くに、適宜形態で、上記陳列棚の区分区画、ショーケース等に据え置き載置して商品を陳列し、その照明展示を行うように使用すれば、各種商品の照明を複数面で有効に行って、商品購買意欲を増進し、また、集客性を確保し得るものとすることができ、更に、上記発熱による温度上昇が殆どないから、ケーキ、生鮮食品等の展示ディスプレイとして使用することも可能になる。
【００４６】
図示した例は以上のとおりとしたが、上記断面Ｕ字状の受条の埋込配置を、交差一方の導光面の端部と中間位置の双方とし且つ交差一方の導光面に対して入射光を供給する線状光源を該端部又は中間位置の一方とすること、上記受条の外側面に該交差一方の導光面に入射光を供給する線状光源を直接に配置するようにすること、上記交差他方の導光面の該交差一方の導光面に対する交差保持を直交して行うことにより、交差一方の導光面に対する交差他方の導光面の配置を該配置位置において断面Ｔ字状又はＬ字状とし、これによって面照明装置の全体を断面Ｌ字状、Ｆ字状、Ｅ字状等の交差一方の導光面に対して交差他方の導光面を単一、複数乃至多数配置したものとすること、交差一方の導光面のボックスの底面を上記光透過性合成樹脂材以外の合成樹脂、金属等によるものとすること、上記断面形状の面照明装置の正面を除く他の面に天板、底板、背面板等を配置して導光面を囲繞したものとすること、このとき、これらを非面照明材によって形成し、また、これらを設置する部位に上記と同様に断面Ｕ字状の受条を配置し、上記と同様乃至上記に準じてこれらの配置を行うこと、上記ボックスと表面カバー、該表面カバーと被覆ケース、ボックス底面と放熱板、断面Ｕ字状の受条と放熱板の起立端部等、部材相互の配置に関して、必要に応じて接着、溶着、外観に影響しない部分においてネジ止め等、固定手段による固定を施すこと、面照明装置を間仕切として使用し、陳列棚を形成するように使用する如くに、導光板交差配置の面照明装置を家具、店舗用品、オフィス用品、建造物の内装材等として使用することを含めて、本発明の実施に当って、面照明装置、交差一方の導光面、交差他方の導光面、断面Ｕ字状の受条、必要に応じて用いるボックス、表面カバー、被覆ケース、放熱板、その起立端部、線状光源等の各具体的形状、構造、材質、用途、数、寸法、これらの関係、これらに対する付加等は、上記発明の要旨に反しない限り様々な形態のものとすることができる。
【符号の説明】
【００４７】
Ａ  面照明装置
１ａ  交差一方の導光面
１ｂ  交差他方の導光面
２  導光板
２１  入射端面
２２  挿入端部
３  受条
４  ボックス
４１  表面カバー
４２  脚部
５  被覆ケース
６  放熱板
６１  起立端部
７  反射面
８  線状光源
８１  リード線
【図１】
2012248518.tif 000003
【図２】
2012248518.tif 000004
【図３】
2012248518.tif 000005
【図４】
2012248518.tif 000006
【図５】
2012248518.tif 000007